(57)【要約】      （修正有）【課題】誤作動防止機構を備え、安定した耳たぶ押さえを備えたピアスホール形成装置に関する。【解決手段】本体ケース２の底面側に、一方の先端を受側ケース１に固着した長尺板状の可撓性を有するストッパ部材が、本体ケース２に対してスライド自在となるように位置しており、他方の先端には本体ケースの底面に形成した透孔に係止自在となるフック部が形成され、ストッパ部材の底面側には、ストッパ部材の長手方向にプッシュ可能となるプッシュ片１０を取り付け、このプッシュ片１０を押し込むことで前記フック部材が透孔から抜け出して受側ケース１を本体ケース２から離れる方向に水平移動でき、プッシュ片１０への押圧力を解除したときに、受側ケース１を本体ケース２方向に復帰させることができる第二復帰ばね１１を設けた。【選択図】図１
2011245221.tif 000002
【特許請求の範囲】
【請求項１】
受側ケースと本体ケースとを接離自在に組み合わせ、受側ケースにキャッチをセットする溝部を形成し、本体ケースに針部と第一復帰ばねを有するスライド部材を組み込み、受側ケースと本体ケースの対向面間で耳たぶを挟持できるように構成し、スライド部材を押し込んで針部を受側ケース内に押し込むと、耳たぶにピアスホールが形成されるとともにチューブピアスが挿通され、スライド部材への押圧力を解除してスライド部材が元の位置に復帰しても、二度目のスライド部材の押し込みが不可能となるようにしたピアスホール形成装置において、
本体ケースの底面側には、一方の先端を受側ケースに固着した長尺板状の可撓性を有するストッパ部材が、本体ケースに対してスライド自在となるように位置しており、ストッパ部材の他方の先端には本体ケースの底面に形成した透孔に係止自在となるフック部が形成され、このフック部が透孔に係止しているときは前記スライド部材の押し込み操作を不可能とし、フック部材が透孔から抜け出たときは前記スライド部材の押し込み操作を可能とするように構成し、ストッパ部材の底面側には、ストッパ部材の長手方向にプッシュ可能となるプッシュ片を取り付け、このプッシュ片を押し込むことで前記フック部材が透孔から抜け出して受側ケースを本体ケースから離れる方向に水平移動でき、プッシュ片への押圧力を解除したときに、受側ケースを本体ケース方向に復帰させることができる第二復帰ばねを、前記プッシュ片の背面に設けたことを特徴とするピアスホール形成装置。
【請求項２】
前記ストッパ部材の片側先端側に、ストッパ部材の長手方向と平行のスリット溝を形成して細幅部材を画設し、この細幅部材の先端に、本体ケースの底面に形成した透孔に係止自在となるフック部を形成したことを特徴とする請求項１記載のピアスホール形成装置。
【発明の詳細な説明】
【技術分野】
【０００１】
本発明はピアスホール形成装置に係り、さらに詳しくはピアスを装着するピアスホールを耳たぶに開けるためのピアスホール形成装置に関する。
【背景技術】
【０００２】
装飾用具として耳たぶを飾るピアスイアリング（以下、単に「ピアス」という）がある。ピアスを耳たぶに取付ける方法としては、まずピアスホールを形成する必要があるが、このピアスホール形成時に、同時操作でフッ素樹脂製のチューブ（以下、「チューブピアス」という）を耳たぶに刺し込むようにしている。
【０００３】
このチューブピアスは、耳たぶに開けたばかりのピアスホールが自然治癒力で塞がってしまうのを防止するために、ピアスホール形成時にピアスホール位置にしばらく留め置くもので、通常はピアスホール形成状態が安定した後に取り除かれる。このチューブピアスは、一般的に目立たない透明のフッ素樹脂素材で形成されている。
またチューブピアス装着時には、チューブピアスの長手方向に形成した貫通孔にピアスのポスト部分を差し込んでピアスの装着を行う。
【０００４】
従来のピアスホール形成装置は、形成装置に備えられるシリンダの先端にピアスホール穿孔用の針を取り付け、この針にチューブピアスをかぶせた状態でセットされており、シリンダを押し込むことで針を耳たぶに刺し通す作動中にチューブピアスも同時に耳たぶに刺し通すものである。
ついで、チューブピアスの貫通孔から針を抜き出し、チューブピアスのみを耳たぶに差し込んだ状態で留め置き、チューブピアスの貫通孔にピアスのポスト部分を差し込んで耳たぶにピアスを取り付けていた。このチューブピアスはフッ素樹脂で形成することで、金属アレルギーなどのかぶれが耳たぶに発生しないように対処している。また、ピアスホール形成装置により耳たぶに刺し通されたチューブピアスは、耳たぶから不用意に抜け出さないように、その片側先端を加締器等で加締めることもある。
【特許文献１】特開平８−２３８１１７号公報
【特許文献２】特開平１０−８０４２８号公報
【特許文献３】特許第３７９３３９７号公報
【発明の開示】
【発明が解決しようとする課題】
【０００５】
本発明のピアスホール形成装置は、一度の孔開け操作にしか使用できないようにして（二度打ち防止）、使い回しによる二次感染被害を防止できるようにしたピアスホール形成装置であり、かつそのピアスホールの形成操作の直前に、耳たぶがピアスホール形成装置内で盲動しないように安定的に保持できるようにし、その安定状態に保たれた耳たぶにピアスホール形成装置の針を打ち込んで、狙った位置に正確にピアスホールを形成するものである。
【０００６】
二度打ち防止機構を備えない従来のピアスホール形成装置は、二度以上の繰り返し使用が行われる危険があり、感染症の二次感染の温床ともなりかねないものであった。
このような問題に対処するため、本件出願人は先に特許文献２及び３に示す発明を提案している。
【０００７】
しかしながら、上記特許文献２及び３に記載のピアスホール形成装置は、ピアスホール形成の準備が整わない状態下で、針を備えたスライド部材を誤って押し込むという誤作動を防止するための誤作動防止機構が存在しなかったため、何かのきっかけで意に反してスライド部材を押し込んでしまうという誤作動が発生していた。またピアスホール形成の操作を行う前に、耳たぶがピアスホール形成装置内で動かないように余裕を持って安定保持させることができる耳たぶ押さえの構造が存在しなかったため、耳たぶを針に対して垂直に保持した状態で、かつピアスホール形成装置内の正しい位置にセットできないなどの課題があった。
【０００８】
なお特許文献２には、耳たぶ押さえは存在しているが、その耳たぶ押さえは針を備えたスライド部材と一体的になる構成であったため、スライド部材を押し込まなければ耳たぶ押さえが耳たぶに接触できず、スライド部材を押し込むということは針でピアスホールを形成する操作を行うことを意味する。そのため微妙な押し込み力で耳たぶ押さえの位置調整をしながら、針はまだ耳たぶに到達していないというタイミングが不可欠となるが、その力加減は慣れない人にとっては難しく、結局のところ特許文献２の耳たぶ押さえは針が耳たぶを挿通する直前でなければ耳たぶを押さえつけることができず、また耳たぶ押さえが耳たぶに接した際には、針が一気に耳たぶを挿通してしまい、針の挿通前に耳たぶの安定保持状態が確保できないという状況がたびたび引き起こされていた。
【０００９】
このため、スライド部材を誤作動させてしまう問題と、スライド部材を押し込まなくても、余裕を持ってピアスホール位置を確認できるような耳たぶ押さえを確保できないという問題があった。
【００１０】
本件発明は、二度打ち防止機構を簡単な構造のものとし、誤作動防止（空打ち防止）する機構を備え、かつそのピアスホール形成操作の前に、余裕を持って耳たぶをピアスホール形成装置内で動かないよう安定的に垂直保持できるようにしたピアスホール形成装置であり、全体の構造を小さくできかつパーツ点数を少なくして、ピアスホール形成装置の商品展示スペース並びに在庫時の収納スペースを小さくでき、使用性に優れたピアスホール形成装置を提供することにより、上述した全ての問題点を解消しようとするものである。
【課題を解決するための手段】
【００１１】
上記目的を達成するために、請求項１記載の発明は、受側ケースと本体ケースとを接離自在に組み合わせ、受側ケースにキャッチをセットする溝部を形成し、本体ケースに針部と第一復帰ばねを有するスライド部材を組み込み、受側ケースと本体ケースの対向面間で耳たぶを挟持できるように構成し、スライド部材を押し込んで針部を受側ケース内に押し込むと、耳たぶにピアスホールが形成されるとともにチューブピアスが挿通され、スライド部材への押圧力を解除してスライド部材が元の位置に復帰しても、二度目のスライド部材の押し込みが不可能となるようにしたピアスホール形成装置において、
本体ケースの底面側には、一方の先端を受側ケースに固着した長尺板状の可撓性を有するストッパ部材が、本体ケースに対してスライド自在となるように位置しており、ストッパ部材の他方の先端には本体ケースの底面に形成した透孔に係止自在となるフック部が形成され、このフック部が透孔に係止しているときは前記スライド部材の押し込み操作を不可能とし、フック部材が透孔から抜け出たときは前記スライド部材の押し込み操作を可能とするように構成し、ストッパ部材の底面側には、ストッパ部材の長手方向にプッシュ可能となるプッシュ片を取り付け、このプッシュ片を押し込むことで前記フック部材が透孔から抜け出して受側ケースを本体ケースから離れる方向に水平移動でき、プッシュ片への押圧力を解除したときに、受側ケースを本体ケース方向に復帰させることができる第二復帰ばねを、前記プッシュ片の背面に設けたことを特徴とするピアスホール形成装置である。
【００１２】
請求項２は、前記ストッパ部材の片側先端側に、ストッパ部材の長手方向と平行のスリット溝を形成して細幅部材を画設し、この細幅部材の先端に、本体ケースの底面に形成した透孔に係止自在となるフック部を形成したことを特徴とする請求項１記載のピアスホール形成装置である。
【発明の効果】
【００１３】
上記した請求項１に係るピアスホール形成装置は、フック部材が透孔に係止している状態では、スライド部材を押し込むことができないため、スライド部材を不用意に押し込むという誤作動の防止が可能となる。
フック部材を透孔から抜け出させるためには、ストッパ部材のプッシュ片を押し込む必要があり、フック部材が透孔から抜け出た状態で、スライド部材を押し込むことが可能となり、最終的にスライド部材の針部でピアスホールの形成が行える効果を発揮する。
【００１４】
また請求項１に係るピアスホール形成装置は、別個の耳押さえを設けなくても、プッシュ片を押し込むことで受側ケースを本体ケースから引き離し、受側ケースと本体ケースとの対向面間の隙間に耳たぶを位置させ、プッシュ片への押圧力を解除すると、受側ケースは第二復帰ばねの復元力で本体ケース方向に戻り、耳たぶを受側ケースと本体ケースとの対向面で挟持する。このようにして、耳たぶの安定保持が図られ、針の挿通前に耳たぶの安定保持状態が確保できるという効果を発揮する。
【００１５】
本発明は二度打ち防止機構と、誤作動防止機構と、耳たぶ押さえ機構とを簡単な構造としてコンパクトとなるように組み込んだたため、収納時のスペースが小さくなり、商品展示スペースも小さくなるという効果を発揮する。
【００１６】
つぎに請求項２にかかるピアスホール形成装置は、前記ストッパ部材の後端側に、ストッパ部材の長手方向と平行のスリット溝を形成して細幅部材を画設し、この細幅部材の先端に、本体ケースの底面に形成した透孔に係止自在となるフック部を形成したため、細幅部材の可撓性が一層向上し、フック部と透孔との係止状態から抜け出し状態に変化させることが円滑となる効果を発揮する。
【図面の簡単な説明】
【００１７】
【図１】本発明に係るピアスホール形成装置の上面からみた斜視図である。
【図２】本発明に係るピアスホール形成装置の下面からみた斜視図である。
【図３】本発明に係るピアスホール形成装置の縦断正面図で、（ａ）はスライド部材もプッシュ片も押し込まない状態、（ｂ）はプッシュ片のみを矢印方向に押し込んだ状態、（ｃ）はスライド部材のみを矢印方向に押し込んだ状態ある。
【図４】本発明に係るピアスホール形成装置の本体ケースの横断平面図で、（ａ）はスライド部材を矢印方向に押し込む前の状態、（ｂ）はスライド部材を矢印方向に押し込んだ後の状態、（ｃ）はスライド部材の押し込み力を解除した状態、（ｄ）はスライド部材の押し込み力を解除してスライド部材が元の位置に復帰する途中の状態、（ｅ）はスライド部材の押し込み力を解除してスライド部材が元の位置に復帰した状態、（ｆ）はスライド部材に二度目の押し込み力をかけても矢印方向に押し込めない状態である。
【発明を実施するための形態】
【００１８】
以下添付図面に基づいて、本発明に係るピアスホール形成装置の一実施の形態を詳説する。
まず本発明に係るピアスホール形成装置は、略箱型形状の受側ケース１と本体ケース２とを、相互に接離自在になるように組み合わせており、受側ケース１の上面にはキャッチをセットする溝部３が形成されている。
【００１９】
一方、本体ケース２の内部にはスライド部材４が組み込まれ、このスライド部材４には針部５と第一復帰ばね６が備えられている。
また本体ケース２の底面側には、一方の先端７ａを受側ケース１の底面に固着した長尺状の可撓性を有するストッパ部材７がスライド自在に位置しており、このストッパ部材７の他方の先端７ｂには、本体ケース２の底面に形成した透孔８に係止自在となるフック部９が形成されている。
このフック部９が透孔８に係止しているときは、フック部９が透孔８を通過して本体ケース２内にその頭部を位置させているため、前記スライド部材４の押し込みは不可能な状態となる（図３ａ参照）。
【００２０】
ついでフック部９が透孔８から抜け出たときは、フック部９の頭部が本体ケース２から外部に移動するため、前記スライド部材４の押し込みを行うと、スライド部材４の受側ケース１方向への移動を阻止するものがなくなるため、スライド部材４の押し込みが可能となり（図３ｂ参照）、スライド部材４は受側ケース１方向にスライドし、その結果スライド部材４に備えられている第一復帰ばね６は圧縮され、針部５の先端は受側ケース１内に到達して耳たぶ（図示しない）にピアスホールを形成するとともに、チューブピアス（図示しない）の先端を、受側ケース１内のキャッチ（図示しない）位置に到達させて、チューブピアスとキャッチの係合を完了させる（図３ｃ参照）。
【００２１】
スライド部材４への押圧力を解除すると、スライド部材４は第一復帰ばね６の復元力で押圧力を付与する前の状態に復帰する。このようにして、ピアスホールの形成操作の流れは完了する。
【００２２】
ストッパ部材７の底面側には、ストッパ部材の長手方向にプッシュ可能となるプッシュ片１０が取り付けられており、プッシュ片１０の背面には第二復帰ばね１１が設けられており、プッシュ片１０をストッパ部材７の長手方向に向かってプッシュすると、第二復帰ばね１１は圧縮され、ストッパ部材７は本体ケース２の底面に沿って受側ケース１が本体ケース２から離れる方向にスライドし、受側ケース１と本体ケース２間に耳たぶを位置させるための隙間Sを確保する。
【００２３】
隙間Sに耳たぶを位置させ、プッシュ片１０への押圧力を解除するとストッパ部材７は第二復帰ばね１１の復元力で押圧力を付与する前の状態に戻ろうとするが、隙間Sに耳たぶが位置していることで、耳たぶの厚さ寸法分だけ受側ケース１方向にずれて停止する。このため、ストッパ部材７のフック部９は透孔８の位置に届かないこととなり、フック部９と透孔８との係合は解除されたままとなる。
【００２４】
またこのとき耳たぶは、受側ケース１と本体ケース２との対向面１ａ，２ａで垂直状に安定して挟持され、スライド部材４にはまったく押圧力が付与されていないため、プッシュ片１０の押圧のタイミングの調整だけで耳たぶ押さえが可能となる。このため、余裕を持ってピアスホールの位置確認を行うことができ、耳たぶの位置確認が完全に行えるまで何度でも耳たぶ押さえのやり直しが行えるので、安心してピアスホールの形成装置を使用できるという信頼性が向上する。
【００２５】
つぎに前記ストッパ部材７のフック部９の動きについて説明する。
最初にプッシュ片１０をプッシュすると、ストッパ部材７は本体ケース２の下面側で受側ケース１を本体ケース２から離す方向にスライドするが、このときストッパ部材７の先端のフック部９は透孔８内に位置しているので、そのままの状態ではストッパ部材７は本体ケースの下面側でスライドすることは無いが、ストッパ部材７は可撓性を有するため、プッシュ片１０がある程度の押圧力を受けるとフック部９を透孔８から抜き出すようにその形状をたわませ、フック部９と透孔８との係合状態を解除することができる。プッシュ片１０をプッシュしない場合には、ストッパ部材７はその形状をたわませることがないため、フック部９と透孔８との係合状態を解除することはない。
【００２６】
つぎに、前記ストッパ部材７の片側先端７ｂ側に、ストッパ部材７の長手方向と平行のスリット溝１２を形成して細幅部材１３を画設し、この細幅部材１３の先端に、本体ケース２の底面に形成した透孔８に係止自在となるフック部９を形成するようにすると、細幅部材１３の可撓性の確保が一層向上して、フック部９と透孔８との係合状態の解除が容易となり、フック部９が容易に透孔８から抜け出せるようになる。
【００２７】
ついで二度打ち防止手段について、その説明を図４に従って簡単に行う。
スライド部材４の内面側に片持ちプレート２０が取り付けられ、この片持ちプレートの先端下面にはガイド突起２１が形成されている。
ガイド突起２１はスライド部材４のスライド幅だけ、本体ケース２内を受側ケース１方向に向かって往復スライドできるように構成されている。
また片持ちプレート２０は、進行方向に向かってその左右方向にわずかに揺動できるように構成されている。
【００２８】
前記ガイド突起２１が通過する本体ケース２内の走行路は、スタンバイステージ２２以外に、三段階の高さに分けて形成してあり、ガイド突起２１はスライド部材４の動きと連動してアプローチ傾斜面２３を通過して、最も高位置にある第１ステージ２４に到達する（図４ａ参照）。
【００２９】
さらにガイド突起２１が前進すると、その第１ステージ２４の進行方向先端は平面視で斜めカット部２５に形成されているため、２番目に高い第２ステージ２６上に自然落下する（図４ｂ，ｃ参照）。この自然落下位置は、スライド部材４の針部５が耳たぶを通過する位置に調整してある。スライド部材４が、この位置まで押し込まれたということは、ピアスホール形成装置が一旦使用されたことを意味し、以後のピアスホール形成装置の使用を中止させる必要がある。
【００３０】
第２ステージ２６上に導かれたガイド突起２１は、前記の斜めカット部２５の側壁に沿って第３ステージ２７方向に引き戻され、片持ちプレート２０はわずかに揺動して平面視斜めに位置する（図４ｄ参照）。
ガイド突起２１がさらに引き戻されると、最も低位置にある第３ステージ２７上に導かれる（図４ｅ参照）。
【００３１】
スタンバイステージ２２の高さは、第１ステージ２４より低く、第２ステージ２６、第３ステージ２７よりも高い位置に配置されている。
このため、第３ステージ２７上に戻ったガイド突起２１は、仮にスライド部材４により押し込まれても、第３ステージ２７から第２ステージ２６へは移動できない（図４ｆ参照）。
このようにして、二度打ち防止手段は、ピアスホール形成装置の二度打ちを防止している。
【産業上の利用可能性】
【００３２】
本発明は、ピアスを使用したり製造したりする産業において利用される。
【符号の説明】
【００３３】
１…受側ケース
２…本体ケース
１ａ，２ａ…受側ケースと本体ケースの対向面
３…溝部
４…スライド部材
５…針部
６…第一復帰ばね
７…ストッパ部材
７ａ、７ｂ…ストッパ部材の先端
８…透孔
９…フック部
１０…プッシュ片
１１…第二復帰ばね
１２…スリット溝
１３…細幅部材
S…隙間
２０…片持ちプレート
２１…ガイド突起
２２…スタンバイステージ
２３…アプローチ傾斜面
２４…第１ステージ
２５…斜めカット部
２６…第２ステージ
２７…第３ステージ
【図２】
2011245221.tif 000003
【図３】
2011245221.tif 000004
【図４】
2011245221.tif 000005
【図１】
2011245221.tif 000006